(57)【要約】【課題】例えば、ＴＦＴアレイ基板及び対向基板を電気的に接続する接続部の電気抵抗を低減する。【解決手段】ＴＦＴアレイ基板１０及び対向基板２０を相互に電気的に接続する複雑な接続構造を作り込む必要がなく、ＴＦＴアレイ基板１０及び対向基板２０の夫々に作り込まれる配線等の導電部の構成を簡便にできる。このような液晶装置１によれば、ＴＦＴアレイ基板１０及び対向基板２０間を電気的に接続する上下導通端子における接続抵抗をなくすことができ、及び導通不良の低減が可能となる。加えて、本実施形態に係る液晶装置１によれば、ＴＦＴアレイ基板１０及び対向基板２０間にＦＰＣ５００を挟持しているため、液晶装置１を小型化することも可能である。【選択図】図３
2008026771.tif 000002
【特許請求の範囲】
【請求項１】
表示領域を構成する複数の画素の夫々に形成された画素電極を有する素子基板と、
前記素子基板から見て前記画素電極が形成された側で前記素子基板に対向するように配置された対向基板と、
前記表示領域の外側の領域において、前記素子基板及び前記対向基板に挟持された外部基板と、
前記外部基板における前記素子基板に面する側の面に形成された第１接続端子と、
前記外部基板における前記対向基板に面する側の面に形成された第２接続端子と、
前記外側の領域において前記素子基板に設けられており、前記第１接続端子と電気的に接続された第３接続端子と、
前記外側の領域において前記対向基板に設けられており、前記第２接続端子と電気的に接続された第４接続端子と
を備えたことを特徴とする電気光学装置。
【請求項２】
前記第４接続端子は、前記画素電極に対向するように前記対向基板に形成された対向電極に電気的に接続されており、
前記第２接続端子は、前記第４接続端子を介して前記対向電極に対向電極電位を供給し、
前記第３接続端子は、前記画素電極に電気的に接続されており、
前記第１接続端子は、前記第３接続端子に画像信号を供給すること
を特徴とする請求項１に記載の電気光学装置。
【請求項３】
前記第４接続端子は、前記対向電極が前記外側の領域に延在された延在部であること
を特徴とする請求項２に記載の電気光学装置。
【請求項４】
前記外側の領域において、前記素子基板における前記外部基板に面する側の面を部分的に掘り込んでなる第１凹部を備え、
前記第３接続端子は前記第１凹部に形成されていること
を特徴とする請求項１から３の何れか一項に記載の電気光学装置。
【請求項５】
前記外側の領域において、前記対向基板における前記外部基板に面する側の面を部分的に掘り込んでなる第２凹部を備え、
前記第４接続端子は前記第２凹部に形成されていること
を特徴とする請求項１から３の何れか一項に記載の電気光学装置。
【請求項６】
前記外側の領域において、前記外部基板における前記素子基板に面する側の面に形成され、且つ前記第２接続端子に電気的に接続された第５接続端子を備えたこと
を特徴とする請求項１から５の何れか一項に記載の電気光学装置。
【請求項７】
請求項１から６の何れか一項に記載の電気光学装置を具備してなること
を特徴とする電子機器。
【発明の詳細な説明】
【技術分野】
【０００１】
本発明は、例えば、ＦＰＣ（Flexible Printed Circuit）等の接続手段を介して供給された各種信号によって駆動される液晶パネル等の電気光学装置、及びそのような液晶パネルを備えたプロジェクタ等の電子機器の技術分野に関する。
【背景技術】
【０００２】
この種の電気光学装置では、画像信号等を含む各種信号、及び電源がＦＰＣ等の接続手段を介して外部回路から供給される。このような電気光学装置の一例である液晶表示装置のサイズを小型化できる技術の一例が、特許文献１に開示されている。
【０００３】
また、液晶表示装置では、通常、ＴＦＴアレイ基板等の素子基板に設けられた端子部にＦＰＣの端子部が電気的に接続されている。素子基板及び当該素子基板に対向配置された対向基板の夫々に形成された配線は、上下導通端子で相互に接続されており、素子基板に設けられた端子部から対向基板に配線及び上下導通端子を介して電源及び各種信号が供給される。より具体的には、対向基板に設けられた対向電極に対向電極電位等の電位が供給される。
【０００４】
【特許文献１】特開２００３−１０７５１９号公報
【発明の開示】
【発明が解決しようとする課題】
【０００５】
この種の電気光学装置では、特許文献１に記載されているように、装置サイズの小型化に対する要請がある。加えて、素子基板及び対向基板を重ねて接着した場合に生じる素子基板及び対向基板間の導通不良及び接続部における接続抵抗の増大によって、液晶表示装置等の電気光学装置の表示性能が低下するという問題点が顕在化する恐れもある。また、装置内に引き回される配線数を低減することによる装置構成を簡便化することに対する要請もある。
【０００６】
しかしながら、特許文献１には、素子基板及び対向基板相互の電気的な接続構成については、詳細な記載がなされていない。
【０００７】
よって、本発明は上記問題点等に鑑みてなされたものであり、例えば、液晶装置が備える対向基板及び素子基板を電気的に接続する接続部における接続抵抗及び導通不良を低減し、且つ対向基板に設けられる配線数が低減された液晶装置等の電気光学装置、及びそのような電気光学装置を備えたプロジェクタ等の電子機器を提供することを課題とする。
【課題を解決するための手段】
【０００８】
本発明に係る電気光学装置は上記課題を解決するために、表示領域を構成する複数の画素の夫々に形成された画素電極を有する素子基板と、前記素子基板から見て前記画素電極が形成された側で前記素子基板に対向するように配置された対向基板と、前記表示領域の外側の領域において、前記素子基板及び前記対向基板に挟持された外部基板と、前記外部基板における前記素子基板に面する側の面に形成された第１接続端子と、前記外部基板における前記対向基板に面する側の面に形成された第２接続端子と、前記外側の領域において前記素子基板に設けられており、前記第１接続端子と電気的に接続された第３接続端子と、前記外側の領域において前記対向基板に設けられており、前記第２接続端子と電気的に接続された第４接続端子とを備える。
【０００９】
本発明に係る電気光学装置によれば、例えば薄膜トランジスタ（ＴＦＴ）等の画素スイッチング用素子が形成された素子基板上の表示領域、より具体的には複数の画素によって画像が表示される表示領域に、液晶等の電気光学物質に駆動電圧を印加するための画素電極が形成されている。対向基板及び素子基板は、例えば、液晶等の電気光学物質を挟持する。外部基板は、外部回路及び当該電気光学装置を電気的に接続するＦＰＣ等の接続手段であり、表示領域の外側に領域において、より具体的には素子基板及び対向基板の夫々の端部において、これら基板に挟持されている。
【００１０】
第１接続端子は、外部基板における素子基板に面する側の面に形成されている。より具体的には、外部基板が素子基板及び対向基板に挟持された状態で表示領域の外側における外部基板及び素子基板が相互に重なる領域に形成されている。第２接続端子は、第１接続端子と同様に、表示領域の外側において、外部基板における対向基板に面する側の面に形成されている。したがって、第１接続端子及び第２接続端子の夫々は、外部基板における互いに対向する面に形成されている。このような第１接続端子及び第２接続端子には、例えばＦＰＣ等の外部基板に形成された配線を介して電源或いは各種信号が供給される。
【００１１】
第３接続端子は、表示領域の外側の領域において素子基板に設けられており、外部基板が素子基板及び対向基板に挟持された状態で第１接続端子と電気的に接続されている。より具体的には、外部基板が素子基板及び対向基板に挟持された状態で第１接続端子及び第３接続端子は相互に接し、互いに電気的に接続されている。
【００１２】
第４接続端子は、第３接続端子と同様に、表示領域の外側の領域において対向基板に設けられており、第２接続端子と電気的に接続されている。より具体的には、外部基板が素子基板及び対向基板に挟持された状態で第２接続端子及び第４接続端子は相互に接し、互いに電気的に接続されている。
【００１３】
このような電気光学装置によれば、第１接続端子及び第３接続端子が互いに電気的に接続されており、且つ第２接続端子及び第４接続端子が互いに電気的に接続されているため、上下導通端子を設けることなく、素子基板及び対向基板を相互に電気的に接続することができる。したがって、素子基板及び対向基板を相互に電気的に接続する複雑な接続構造をこれら基板に作り込む必要がなく、素子基板及び対向基板の夫々に作り込まれる配線等の導電部の構成を簡便にできる。このような電気光学装置によれば、素子基板及び対向基板間を電気的に接続する接続部における接続抵抗の抑制及び導通不良の低減が可能となる。
【００１４】
加えて、素子基板及び対向基板間に外部回路を挟持しているため、電気光学装置を小型化することも可能である。
【００１５】
本発明に係る電気光学装置の一の態様では、前記第４接続端子は、前記画素電極に対向するように前記対向基板に形成された対向電極に電気的に接続されており、前記第２接続端子は、前記第４接続端子を介して前記対向電極に対向電極電位を供給し、前記第３接続端子は、前記画素電極に電気的に接続されており、前記第１接続端子は、前記第３接続端子に画像信号を供給してもよい。
【００１６】
この態様によれば、第２接続端子及び第４接続端子を介して直接的に、或いは間接的に対向電極電位を対向電極に供給できる。同様に、画像信号供給回路から外部基板に供給された画像信号を第１接続端子を介して第３接続端子に供給できる。画像信号は、例えば素子基板に形成された各種配線及び駆動回路を介して各画素部に供給され、当該画像信号に応じて電位が画素電極に供給される。これにより、画素電極及び対向電極間に介在する液晶等の電気光学物質に駆動電圧が印加され、表示領域に画像が表示される。
【００１７】
この態様では、前記第４接続端子は、前記対向電極が前記外側の領域に延在された延在部であってもよい。
【００１８】
この態様によれば、第２接続端子から対向電極電位線等の配線を介することなく対向電極に対向電極電位が供給される。したがって、素子基板に対向電極電位線を設ける必要がなく、素子基板に設けられる配線数を低減できる。
【００１９】
本発明に係る電気光学装置の他の態様では、前記外側の領域において、前記素子基板における前記外部基板に面する側の面を部分的に掘り込んでなる第１凹部を備え、前記第３接続端子は前記第１凹部に形成されていてもよい。
【００２０】
この態様によれば、外部基板、第１接続端子及び第２接続端子の厚みが厚い場合でも、第１凹部に形成された第３接続端子に接するように当該第１凹部に第１接続端子を勘合させることができる。したがって、素子基板及び対向基板間のギャップ寸法を維持した状態で、これら基板に外部基板を挟持することが可能である。
【００２１】
本発明に係る電気光学装置の他の態様では、前記外側の領域において、前記対向基板における前記外部基板に面する側の面を部分的に掘り込んでなる第２凹部を備え、前記第４接続端子は前記第２凹部に形成されていてもよい。
【００２２】
この態様によれば、上述した第２凹部を設けた場合と同様に、素子基板及び対向基板間のギャップ寸法を維持した状態で、これら基板に外部基板を挟持することが可能である。
できる。
【００２３】
本発明に係る電気光学装置の他の態様では、前記外側の領域において、前記外部基板における前記素子基板に面する側の面に形成され、且つ前記第２接続端子に電気的に接続された第５接続端子を備えていてもよい。
【００２４】
この態様によれば、例えば、外部基板を貫通するように設けられた導電部によって第２接続端子及び第５接続端子を電気的に接続されている。したがって、外部基板における第５接続端子が形成された一方の面に設けられた配線を介して、電源或いは各種信号を第２接続端子に供給できる。
【００２５】
本発明に係る電子機器は上記課題を解決するために、上述した本発明の電気光学装置を備えている。
【００２６】
本発明に係る電子機器によれば、上述した本発明に係る電気光学装置を具備してなるので、簡便な構成で高品位の表示が可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明に係る電子機器として、例えば電子ペーパなどの電気泳動装置等も実現することが可能である。
【００２７】
本発明のこのような作用及び他の利得は次に説明する実施形態から明らかにされる。
【発明を実施するための最良の形態】
【００２８】
以下、図面を参照しながら、本発明に係る電気光学装置及び電子機器の各実施形態を説明する。
【００２９】
＜１：電気光学装置＞
先ず、図１乃至図３を参照しながら本発明に係る電気光学装置の実施形態を説明する。図１は、ＴＦＴアレイ基板をその上に形成された各構成要素と共に対向基板の側から見た電気光学装置の平面図であり、図２は、図１のＩＩ−ＩＩ´断面図である。図３は、図１のＩＩＩ−ＩＩＩ´断面図である。本実施形態では、電気光学装置の一例として、駆動回路内蔵型のＴＦＴアクティブマトリクス駆動方式の液晶装置を例に挙げる。
【００３０】
図１乃至図３において、液晶装置１では、ＴＦＴアレイ基板１０と対向基板２０とが対向配置されており、これら基板間に、本発明の係る電気光学装置の「外部基板」の一例であるＦＰＣ５００が挟持されている。ＦＰＣ５００におけるＴＦＴアレイ基板１０に面する側の面には、第１接続端子２０１が設けられている。ＦＰＣ５００における対向基板２０に面する側の面には、第２接続端子２０２が形成されている。ＴＦＴアレイ基板１０におけるＦＰＣ５００に面する側の面において、画像表示領域１０ａの外側には第１接続端子２０１と電気的に接続された第３接続端子１０３ａが形成されている。対向基板２０におけるＦＰＣ５００に面する側の面には、第２接続端子２０２と電気的に接続された第４接続端子２０４が形成されている。
【００３１】
ＴＦＴアレイ基板１０と対向基板２０との間に液晶層５０が封入されており、ＴＦＴアレイ基板１０と対向基板２０とは、複数の画素部が設けられる画素領域たる表示領域１０ａの周囲に位置するシール領域に設けられたシール材５２により相互に接着されている。
【００３２】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（基板間ギャップ）を所定値とするためのグラスファイバ或いはガラスビーズ等のギャップ材が散布されている。本実施形態の液晶装置１は、プロジェクタのライトバルブ用として小型で拡大表示を行うのに適している。
【００３３】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。尚、画像表示領域１０ａの周辺には、周辺領域が存在する。言い換えれば、本実施形態においては特に、ＴＦＴアレイ基板１０の中心から見て、この額縁遮光膜５３より以遠（即ち、外側の領域）が周辺領域として規定されている。
【００３４】
図２において、ＴＦＴアレイ基板１０上には、画素スイッチング用のＴＦＴや走査線、データ線等の配線が形成された後の画素電極９ａ上に配向膜１６が形成されている。ＴＦＴアレイ基板１０は、例えば石英基板、ガラス基板、シリコン基板等の透明基板である。ＴＦＴアレイ基板１０には、画素電極９ａが設けられており、その上側には、ラビング処理等の所定の配向処理が施された配向膜１６が設けられている。画素電極９ａは、例えば、ＩＴＯ（Indium Tin Oxide）膜などの透明導電膜からなり、配向膜１６は、ポリイミド膜などの有機膜からなる。
【００３５】
対向基板２０上には、その全面に渡って設けられた対向電極２１の他、格子状又はストライプ状の遮光膜２３、更には最上層（図中下側）部分に配向膜２２が形成されている。対向基板２０もＴＦＴアレイ基板１０と同様に透明基板である。対向電極２１は例えば、ＩＴＯ膜などの透明導電膜からなる。配向膜２２は、ポリイミド膜などの有機膜からなる。
【００３６】
液晶層５０は、例えば一種又は数種類のネマティック液晶を混合した液晶からなり、画素電極９ａからの電界が印加されていない状態で配向膜により所定の配向状態をとる。
【００３７】
液晶装置１の動作時には、第２接続端子２０２及び第４接続端子２０４を介して対向電極電位が対向電極２１に供給される。画素電極９ａには、第１接続端子２０１及び第３接続端子１０３を介して供給された画像信号に応じて画素電極電位が供給され、これら電極間の電位差に応じた電圧によって、液晶の配向制御が実行され、画像表示領域１０ａに所望の画像が表示される。
【００３８】
ＴＦＴアレイ基板１０における周辺領域のうち、シール材５２が配置されたシール領域の外側に位置する領域には、データ線駆動回路１０１、及び複数の第３接続端子１０３がＴＦＴアレイ基板１０の一辺に沿って設けられている。第３接続端子１０３は、ＴＦＴアレイ基板１０を部分的に掘り込んでなる第１凹部１１２内に設けられている。したがって、ＴＦＴアレイ基板１０及び対向基板２０間にＦＰＣ５００が挟持された状態で、第１接続端子２０１が第１凹部１１２に嵌合し、第１接続端子２０１及び第３接続端子１０３が相互に接する。これにより、第１接続端子２０１及び第３接続端子１０３が電気的に接続される。同様に、第４接続端子２０４は、対向基板２０を部分的に掘り込んでなる第２凹部２１２内に設けられている。したがって、ＴＦＴアレイ基板１０及び対向基板２０間にＦＰＣ５００が挟持された状態で、第２接続端子２０２が第２凹部２１２に嵌合し、第２接続端子２０２及び第４接続端子２０４が相互に接する。これにより、第２接続端子２０２及び第４接続端子２０４が電気的に接続される。
【００３９】
第１凹部１１２及び第２凹部２１２によれば、ＴＦＴアレイ基板１０及び対向基板２０のギャップを維持しながら、これら基板間にＦＰＣ５００を介在させることが可能である。より具体的には、第１接続端子２０１、第２接続端子２０２、第３接続端子１０３及び第４接続端子２０４の厚みが第１凹部１１２及び第２凹部２１２に堀り込み寸法内に収まっているため、これら端子の厚み分だけＴＦＴアレイ基板１０及び対向基板２０のギャップが広がることを防止できる。
【００４０】
ＦＰＣ５００の両端のうちＴＦＴアレイ基板１０及び対向基板２０に挟持されていない側の端部には、本発明の「第５接続端子」の一例である入力端子５０２が設けられている。入力端子５０２は、配線５１０を介して、第１接続端子２０１、及び第２接続端子２０２に電気的に接続されている。入力端子５０２は、外部回路に電気的に接続され、液晶装置１の動作時に、電源或いは画像信号等の各種信号が第１接続端子２０１、第２接続端子２０２、第３接続端子１０３及び第４接続端子２０４を介してＴＦＴアレイ基板１０及び対向基板２０の夫々に供給される。ここで、第４接続端子２０４は、不図示の配線を介して対向電極２１に電気的に接続されているため、対向電極電位は、第２接続端子２０２及び第４接続端子２０４を介して対向電極２１に供給される。したがって、ＴＦＴアレイ基板１０及び対向基板２０を電気的に接続する上下導通端子、及びＴＦＴアレイ基板１０に設けられた対向電極電位線等の配線を設けることなく、ＦＰＣ５００から直接対向基板２０側に対向電極電位を供給できる。
【００４１】
本実施形態に係る液晶装置１によれば、ＴＦＴアレイ基板１０及び対向基板２０を相互に電気的に接続する複雑な接続構造を作り込む必要がなく、ＴＦＴアレイ基板１０及び対向基板２０の夫々に作り込まれる配線等の導電部の構成を簡便にできる。このような液晶装置１によれば、ＴＦＴアレイ基板１０及び対向基板２０間を電気的に接続する上下導通端子における接続抵抗をなくすことができ、及び導通不良の低減が可能となる。加えて、本実施形態に係る液晶装置１によれば、ＴＦＴアレイ基板１０及び対向基板２０間にＦＰＣ５００を挟持しているため、液晶装置１を小型化することも可能である。
【００４２】
尚、ＦＰＣ５００の両面の夫々に設けられる接続端子は、ＦＰＣ５００を貫通する導電部によって相互に電気的に接続されていてもよい。
【００４３】
走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００４４】
尚、図１及び図２に示したＴＦＴアレイ基板１０上には、これらのデータ線駆動回路１０１、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００４５】
＜２：変形例＞
次に、図４及び図５を参照しながら、本実施形態に係る電気光学装置の変形例を説明する。図４は、本例に係る液晶装置１Ａの平面図であり、図５は、図４のＶ−Ｖ´断面図である。尚、図４及び図５では、上述した液晶装置１と共通する部分に共通の参照符号を付し、詳細な説明を省略する。本例に係る液晶装置１Ａでは、第４接続端子が対向電極２１を延在してなる延在部であることに特徴がある。
【００４６】
図４及び図５において、対向電極２１を周辺領域に延在してなる延在部２１ａは、ＦＰＣ５００をＴＦＴアレイ基板１０及び対向基板２０で挟持した状態で第２接続端子２０２に接し、当該第２接続端子２０２に電気的に接続されている。したがって、液晶装置１Ａの動作時に、第２接続端子２０２を介して対向電極２１に直接対向電極電位が供給されるため、対向基板２０における配線構成を簡便な構成にできる。
【００４７】
＜４：電子機器＞
次に、図６を参照しながら上述した液晶装置を各種の電子機器に適用する場合について説明する。本実施形態に係る電子機器は、上述の液晶装置をライトバルブとして用いたプロジェクタである。図６は、上述した液晶装置を備えた電子機器の一例であるプロジェクタの構成例を示す平面図である。図６に示すように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００４８】
液晶パネル１１１０Ｒ、１１１０Ｂおよび１１１０Ｇの構成は、上述した液晶装置と同等であり、画像信号処理回路から供給されるＲ、Ｇ、Ｂの原色信号でそれぞれ駆動されるものである。これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００４９】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転される。尚、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００５０】
尚、本実施形態に係る電子機器によれば、上述した小型で、且つ簡便な配線構成を有する液晶装置を具備してなるので、小型サイズを有する、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【図面の簡単な説明】
【００５１】
【図１】本発明に係る電気光学装置の一実施形態である液晶装置の構成を示した平面図である。
【図２】図１のＩＩ−ＩＩ´線断面図である。
【図３】図１のＩＩＩ−ＩＩＩ´線断面図である。
【図４】本発明に係る電気光学装置の一実施形態である液晶装置の変形例の構成を示した平面図である。
【図５】図３のＶ−Ｖ´線断面図である。
【図６】本発明に係る電子機器の一実施形態であるプロジェクタの構成を示した平面図である。
【符号の説明】
【００５２】
１，１Ａ・・・液晶装置、１０・・・ＴＦＴアレイ基板、２０・・・対向基板、２１ａ・・・延在部、２０１・・・第１接続端子、２０２・・・第２接続端子、２０３・・・第３接続端子、２０４・・・第４接続端子
【図１】
2008026771.tif 000003
【図２】
2008026771.tif 000004
【図３】
2008026771.tif 000005
【図４】
2008026771.tif 000006
【図５】
2008026771.tif 000007
【図６】
2008026771.tif 000008